(57)【要約】【課題】リモコンセンサーと補助光発光装置のトータルの配置面積を縮小してカメラの小型化に寄与するとともに、配置上の制約を緩和することができるカメラの提供。【解決手段】被写体側に白色光を発光する発光素子と被写体側から発光されたリモートコントロールのための赤外光を受光する受光素子とを有し、前記発光素子の投光レンズと前記受光素子の受光レンズが同一の兼用レンズであることを特徴とする。又、前記発光素子は前記レンズに近い側、前記受光素子は前記レンズから遠い側に配置されることを特徴とする。更に、発光素子と前記受光素子の間に可視光カットフィルターを配置したことを特徴とする。【選択図】図１
2006071999.tif 000002
【特許請求の範囲】
【請求項１】
被写体側に白色光を発光する発光素子と被写体側から発光されたリモートコントロールのための赤外光を受光する受光素子とを有し、前記発光素子の投光レンズと前記受光素子の受光レンズが同一の兼用レンズであることを特徴とするカメラ。
【請求項２】
前記発光素子は前記レンズに近い側、前記受光素子は前記レンズから遠い側に配置されることを特徴とする請求項１記載のカメラ。
【請求項３】
前記発光素子と前記受光素子の間に可視光カットフィルターを配置したことを特徴とする請求項１又は２記載のカメラ。
【請求項４】
前記発光素子は前記レンズのほぼ光軸上に配置され、前記受光素子は前記レンズの光軸上から光軸に垂直方向に変位した位置に配置されることを特徴とする請求項１〜３の何れかに記載のカメラ。
【発明の詳細な説明】
【技術分野】
【０００１】
本発明は、自己撮影や遠隔操作のためのリモートコントロール装置（以下、リモコン）と暗い場所で撮影するための補助光発光装置とを共に有するカメラに関するもので、特に、補助光として白色ＬＥＤ等の小型の発光素子を有し、リモコン用として赤外光を用いた受光素子を有するカメラに関するものである。
【背景技術】
【０００２】
従来、暗い場所でのビデオ撮影には付属品として外付けのビデオライトが用いられてきたが、近年白色光を発光する小型のＬＥＤが用いられるようになり、これを補助光として内蔵したビデオカメラが発売されるようになった。赤外光を利用したリモコンは以前から広く用いられている。又、その他にも様々な装置が付加され、それぞれの機能に適した位置に配置されている。
【０００３】
【特許文献１】特開平１０−１５５１００号公報
【発明の開示】
【発明が解決しようとする課題】
【０００４】
前述したように、カメラに付加される機能は増えているが、一方で小型化も進んでおり、内蔵された各種装置の配置を最適にすることが困難になってきている。通常、カメラ正面には、撮影レンズ、リモコンセンサー、タリーランプ等被写体側を向いているべきものや種々のジャック類、或はメーカーのロゴ等が配置される。補助光を発する発光素子もカメラ正面に配置され、撮影レンズの画角と同等の照射角が必要である。
【０００５】
リモコンセンサーは、被写体側からの赤外信号がカメラ本体筐体やコンバージョンレンズ等の付属品に遮られない位置に配置する必要があり、発光装置はその照射光がカメラ本体筐体やカメラを持っている撮影者の手等によって遮られないように配置する必要がある等の配置上の制約がある。
【０００６】
従って、本発明の第１の目的は、リモコンセンサーと補助光発光装置のトータルの配置面積を縮小してカメラの小型化に寄与するとともに、配置上の制約を緩和することにある。
【０００７】
本発明の第２の目的は、リモコンセンサーと補助光発光素子の最適な前後方向の配置を求めることにある。
【０００８】
本発明の第３の目的は、前記第１第２の目的に最適な付随部品の最適な配置を求めることにある。
【０００９】
本発明の第４の目的は、リモコンセンサーと補助光発光素子の最適な上下方向の配置を求めることにある。
【課題を解決するための手段】
【００１０】
上記目的を達成するため、請求項１記載の発明は、被写体側に白色光を発光する発光素子と被写体側から発光されたリモートコントロールのための赤外光を受光する受光素子とを有し、前記発光素子の投光レンズと前記受光素子の受光レンズが同一の兼用レンズであることを特徴とする。
【００１１】
請求項２記載の発明は、請求項１記載の発明において、前記発光素子は前記レンズに近い側、前記受光素子は前記レンズから遠い側に配置されることを特徴とする。
【００１２】
請求項３記載の発明は、請求項１又は２記載の発明において、前記発光素子と前記受光素子の間に可視光カットフィルターを配置したことを特徴とする。
【００１３】
請求項４記載の発明は、請求項１〜３の何れかに記載の発明において、前記発光素子は前記レンズのほぼ光軸上に配置され、前記受光素子は前記レンズの光軸上から光軸に垂直方向に変位した位置に配置されることを特徴とする。
【発明の効果】
【００１４】
請求項１記載の発明によれば、リモコンセンサーと補助光発光装置のトータルの配置面積を縮小できるので、カメラの小型化に寄与すると共に配置上の制約を緩和できる。
【００１５】
請求項２記載の発明によれば、リモコンセンサーと補助光発光素子が最適な前後方向の配置となるため、被写体を照射する補助光がリモコン素子によって遮られることがなく、補助光の照射角の方がリモコンの受光角よりも広く設定することができる。
【００１６】
請求項３記載の発明によれば、付随部品の配置が最適な配置となるため、発光色は白色で受光センサーには可視光が届かないと共にレンズを通して内部が見えることを防止することができる。
【００１７】
請求項４記載の発明によれば、リモコンセンサーと補助光発光素子が最適な上下方向の配置となるため、補助光はほぼ撮影光軸方向を照射し、受光素子は撮影範囲の下方向から受光すると共に前記発光素子に遮られる光線が少ない。
【発明を実施するための最良の形態】
【００１８】
以下に本発明の実施の形態を添付図面に基づいて説明する。
【００１９】
図１は補助光発光、リモコン受光部の断面図であり、同図において、１はリモコン受光素子、２は基板であり、該基板２上にリモコン受光素子１が実装されている。３は白色ＬＥＤで補助光として白色光を発光可能であり、その脚は前記基板２に半田付けされている。４は可視光カットフィルターであり、リモコン受光素子１の前に配置され可視光が受光素子に届かないと共にこれより中が見えない。
【００２０】
５はレンズで、前記白色ＬＥＤ３の投光レンズであると共に前記リモコン受光素子１の受光レンズをも兼ねた兼用レンズである。前記白色ＬＥＤ３は前記兼用レンズ５の光軸上で焦点位置よりレンズ５に近い所に配置されている。その照射範囲は撮影レンズのワイド側撮影範囲とほぼ同じか少し狭い範囲である。
【００２１】
前記リモコン受光素子１は前記兼用レンズ５の光軸よりもｙだけ光軸に垂直方向に変位した位置で焦点位置の近傍に配置されていてその受光範囲は前記照射範囲よりも狭く、又、下方にずれた範囲である。図２に被写体側の範囲を示す。６はワイドの撮影範囲、７は補助光の照射範囲、８はリモコンの受光範囲である。被写体となっている人間がリモコンを操作する場合はリモコンの発光位置は撮影範囲下側となることが多いので、この関係が適している。
【００２２】
図３は図１を左から見た図でレンズ光軸と白色ＬＥＤ，リモコン受光素子の位置関係を示している。白色ＬＥＤ３は光軸中心にあり、リモコン受光素子１は上に少し変位している。可視光は可視光カットフィルター４を透過しないため、実際には奥は見えない。リモコン受光素子１は位置を示すために示してある。
【図面の簡単な説明】
【００２３】
【図１】補助光発光、リモコン受光部の断面図である。
【図２】範囲を示した図である。
【図３】図１を左から見た正面図である。
【符号の説明】
【００２４】
１  受光素子
２  基板
３  白色ＬＥＤ
４  可視光カットフィルター
５  レンズ
【図１】
2006071999.tif 000003
【図２】
2006071999.tif 000004
【図３】
2006071999.tif 000005